(57)【要約】【課題】洋風便器において、便器本体に対する便座装置の昇降を容易に行う。【解決手段】洋風便器１０は、便器本体１２と、便座１４と、便座１４を支持する便座装置１６と、便座１４の開閉に連動して便座装置１６を昇降させる昇降機構とを備える。便座１４は、開閉軸周りに回転可能に支持されており、昇降機構は、便座１４の開閉軸周りの回転運動を便座装置１６の昇降運動に変換するよう構成される。【選択図】図１
2015134109.tif 000002
【特許請求の範囲】
【請求項１】
便器本体と、
便座と、
前記便座を支持する便座装置と、
前記便座の開閉に連動して前記便座装置を昇降させる昇降機構と、
を備えることを特徴とする洋風便器。
【請求項２】
前記便座は、開閉軸周りに回転可能に支持されており、
前記昇降機構は、前記便座の開閉軸周りの回転運動を前記便座装置の昇降運動に変換するよう構成されることを特徴とする請求項１に記載の洋風便器。
【請求項３】
前記昇降機構は、
前記便座の開閉軸から垂直方向に延設されたアームと、
前記アームをアーム回転軸周りに回転可能に支持する、前記便器本体に固定されたフレームと、
前記便座と前記便座装置とを連結する連結部材と、
を備えることを特徴とする請求項１または２に記載の洋風便器。
【請求項４】
前記便座の開閉に応じて前記アームが前記アーム回転軸周りに回転することで、前記便座装置が前記連結部材を介して前記便器本体に対して昇降されることを特徴とする請求項３に記載の洋風便器。
【請求項５】
前記昇降機構は、前記便座装置が前記便器本体に対し略垂直方向に昇降するよう案内するガイド機構をさらに備えることを特徴とする請求項３または４に記載の洋風便器。
【請求項６】
前記昇降機構は、前記フレームと前記便座装置との間に設けられた弾性部材をさらに備えることを特徴とする請求項３から５のいずれかに記載の洋風便器。
【請求項７】
前記昇降機構は、
前記便座の開閉に応じて回転可能に設けられた便座側ギアと、
前記便座装置に回転可能に設けられた便座装置側ギアと、
前記便座側ギアの回転を前記便座装置側ギアに伝える回転伝達部材と、
前記便座装置側ギアの回転運動を直線運動に変換するラックギアと、
前記ラックギアを支持する、前記便器本体に固定されたフレームと、
を備えることを特徴とする請求項１または２に記載の洋風便器。
【請求項８】
前記回転伝達部材は、前記便座側ギアと前記便座装置側ギアとを連結する連結ベルトであることを特徴とする請求項７に記載の洋風便器。
【請求項９】
前記回転伝達部材は、前記便座側ギアと前記便座装置側ギアとの間に設けられた中間ギアであることを特徴とする請求項７に記載の洋風便器。
【請求項１０】
前記中間ギアは、前記便座側ギアおよび前記便座装置側ギアと噛み合う第１の位置と、前記便座側ギアおよび前記便座装置側ギアと噛み合わない第２の位置との間で移動可能であることを特徴とする請求項９に記載の洋風便器。
【請求項１１】
前記昇降機構は、
前記便座装置を前記便器本体に対して昇降させる電動昇降装置と、
前記便座が開いたときに前記電動昇降装置に前記便座装置を上昇させ、前記便座が閉じたときに前記電動昇降装置に前記便座装置を下降させる制御部と、
を備えることを特徴とする請求項１または２に記載の洋風便器。
【請求項１２】
前記昇降機構は、
前記便器本体に固定されたフレームと、
前記便座装置と前記フレームとの間に設けられ、前記便座装置が降下したときに圧縮される弾性部材と、
前記便座が閉じられた状態のときに前記弾性部材の圧縮状態を維持するよう前記便座装置を前記フレームにロックするとともに、前記便座が開かれたときに前記弾性部材の圧縮を解放するよう前記便座装置の前記フレームに対するロックを解除するロック機構と、
を備えることを特徴とする請求項１または２に記載の洋風便器。
【発明の詳細な説明】
【技術分野】
【０００１】
本発明は、洋風便器に関し、特に便座装置の昇降機能を有する洋風便器に関する。
【背景技術】
【０００２】
従来より、便器本体と便座装置との間を清掃するための構造として、便座装置を便器本体に対して昇降可能に構成された洋風便器が知られている（例えば特許文献１参照）。
【先行技術文献】
【特許文献】
【０００３】
【特許文献１】特開２０１１−５６０５６号公報
【発明の概要】
【発明が解決しようとする課題】
【０００４】
しかしながら、上記特許文献１に記載されような洋風便器では、使用者が便器の前で屈んだ状態で便座装置の昇降作業を行う必要がある。このような屈んだ姿勢での昇降作業は、特に高齢者にとっては容易ではない。
【０００５】
本発明は、このような課題に鑑みてなされ、その目的は、便器本体に対する便座装置の昇降を容易に行うことのできる洋風便器を提供することにある。
【課題を解決するための手段】
【０００６】
上記課題を解決するために、本発明のある態様の洋風便器は、便器本体と、便座と、便座を支持する便座装置と、便座の開閉に連動して便座装置を昇降させる昇降機構とを備える。便座は、開閉軸周りに回転可能に支持されていてもよい。昇降機構は、便座の開閉軸周りの回転運動を便座装置の昇降運動に変換するよう構成されてもよい。
【０００７】
この態様によると、便座装置を便器本体に対して上昇させる際には、使用者は立ったまま便座を開くだけでよく、従来のように便器の前で屈むような姿勢をとる必要はない。従って、便器本体に対する便座装置の昇降を容易に行うことが可能となる。
【０００８】
昇降機構は、便座の開閉軸から垂直方向に延設されたアームと、アームをアーム回転軸周りに回転可能に支持する、便器本体に固定されたフレームと、便座と便座装置とを連結する連結部材とを備えてもよい。便座の開閉に応じてアームがアーム回転軸周りに回転することで、便座装置が連結部材を介して便器本体に対して昇降されてもよい。この場合、好適に便器本体に対し便座装置を昇降できる。
【０００９】
昇降機構は、便座装置が便器本体に対し略垂直方向に昇降するよう案内するガイド機構をさらに備えてもよい。この場合、便座装置の昇降方向を好適に制御できる。
【００１０】
昇降機構は、フレームと便座装置との間に設けられた弾性部材をさらに備えてもよい。この場合、便座装置の昇降作業性を向上できる。
【００１１】
昇降機構は、便座の開閉に応じて回転可能に設けられた便座側ギアと、便座装置に回転可能に設けられた便座装置側ギアと、便座側ギアの回転を便座装置側ギアに伝える回転伝達部材と、便座装置側ギアの回転運動を直線運動に変換するラックギアと、ラックギアを支持する、便器本体に固定されたフレームとを備えてもよい。この場合、好適に便器本体に対し便座装置を昇降できる。
【００１２】
回転伝達部材は、便座側ギアと便座装置側ギアとを連結する連結ベルトであってもよい。この場合、好適に便座側ギアの回転を便座装置側ギアに伝達できる。
【００１３】
回転伝達部材は、便座側ギアと便座装置側ギアとの間に設けられた中間ギアであってもよい。この場合、好適に便座側ギアの回転を便座装置側ギアに伝達できる。
【００１４】
中間ギアは、便座側ギアおよび便座装置側ギアと噛み合う第１の位置と、便座側ギアおよび便座装置側ギアと噛み合わない第２の位置との間で移動可能であってもよい。この場合、使用者の必要に応じて、便座装置の昇降／非昇降を切り替えることができ、操作性の向上を図ることができる。
【００１５】
昇降機構は、便座装置を便器本体に対して昇降させる電動昇降装置と、便座が開いたときに電動昇降装置に便座装置を上昇させ、便座が閉じたときに電動昇降装置に便座装置を下降させる制御部とを備えてもよい。この場合、従来の電動昇降装置を用いた洋風便器のように外部のスイッチを探す手間が不要となるので、操作性の向上を図ることができる。
【００１６】
昇降機構は、便器本体に固定されたフレームと、便座装置とフレームとの間に設けられ、便座装置が降下したときに圧縮される弾性部材と、便座が閉じられた状態のときに弾性部材の圧縮状態を維持するよう便座装置をフレームにロックするとともに、便座が開かれたときに弾性部材の圧縮を解放するよう便座装置のフレームに対するロックを解除するロック機構とを備えてもよい。この場合、好適に便器本体に対し便座装置を昇降できる。また、電動昇降装置を用いた場合と比べて安価な構成とすることができる。
【発明の効果】
【００１７】
本発明によれば、便器本体に対する便座装置の昇降を容易に行うことのできる洋風便器を提供できる。
【図面の簡単な説明】
【００１８】
【図１】図１（ａ）〜（ｃ）は、本発明の実施形態に係る洋風便器を説明するための図である。
【図２】図２（ａ）および（ｂ）は、第１実施例に係る昇降機構を説明するための要部概略側面図である。
【図３】図３（ａ）および（ｂ）は、第１実施例に係る昇降機構を説明するための要部概略斜視図である。
【図４】図４（ａ）および（ｂ）は、第２実施例に係る昇降機構を説明するための要部概略側面図である。
【図５】図５（ａ）および（ｂ）は、第３実施例に係る昇降機構を説明するための要部概略側面図である。
【図６】図６（ａ）および（ｂ）は、第３実施例に係る昇降機構における非昇降モードを説明するための図である。
【図７】図７（ａ）および（ｂ）は、第４実施例に係る昇降機構を説明するための要部概略側面図である。
【図８】図８（ａ）および（ｂ）は、第５実施例に係る昇降機構を説明するための要部概略側面図である。
【発明を実施するための形態】
【００１９】
以下、図面を参照して本発明の実施形態に係る洋風便器について詳細に説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２０】
図１（ａ）〜（ｃ）は、本発明の実施形態に係る洋風便器１０を説明するための図である。本実施形態に係る洋風便器１０は、便鉢を有する便器本体１２と、便座１４と、便座１４を支持する便座装置１６とを備える。便座１４は、開閉軸周りに回転可能に支持されている。便座装置１６は、便器本体１２に対し昇降可能に設けられている。便座装置１６は、種々の機能部品を備える。例えば便座装置１６は、シャワートイレ１８や、シャワートイレ１８用のタンク（図示せず）、人体感知用センサ（図示せず）、便鉢洗浄用のタンク（図示せず）などを備える。
【００２１】
本実施形態に係る洋風便器１０は、便座１４の開閉に連動して便座装置１６を昇降させる昇降機構を備える。この昇降装置は、便座１４の開閉軸周りの回転運動を便座装置１６の昇降運動に変換するよう構成されている。便座１４は、その開度に応じて便器本体１２に対して昇降する。
【００２２】
図１（ａ）は、便座１４が便器本体１２に対し閉じた状態を示す。すなわち便座１４の開度は０％である。このとき、昇降装置は、便座装置１６を便器本体１２に対して上昇させない。この状態では、便器本体１２の上面と便座装置１６の下面との間に隙間は存在しない。なお、ここでいう「隙間が存在しない」とは、全く隙間が存在しない状態だけを意味するものではなく、人間の指が入らない程度の非常に小さな隙間が存在する状態も含む。
【００２３】
図１（ｂ）は、便座１４が便器本体１２に対し半分程度開いた状態を示す。使用者により便座１４が半分程度開かれた場合（すなわち便座１４の開度は５０％）、昇降機構は、便座装置１６を完全上昇時の半分程度上昇させる。この状態では、図１（ｂ）に示すように便器本体１２の上面と便座装置１６の下面との間に隙間１９が生じている。
【００２４】
図１（ｃ）は、便座１４が便器本体１２に対し完全に開いた状態を示す。使用者により便座１４が完全に開かれた場合（すなわち便座１４の開度は１００％）、昇降機構は、便座装置１６を便器本体１２に対して完全に上昇させる。この状態では、図１（ｃ）に示すように便器本体１２の上面と便座装置１６の下面との間に大きな隙間１９が生じている。
【００２５】
使用者により便座１４を閉じられると、昇降機構は、今度は逆に便座装置１６を便器本体１２に向けて降下させる。便座１４が完全に閉じられると、便器本体１２の上面と便座装置１６の下面との間の隙間は無くなる。
【００２６】
このように、本実施形態に係る洋風便器１０では、便座１４の開閉に連動して便座装置１６が便器本体１２に対して昇降するよう構成した。便座装置１６を便器本体１２に対して上昇させる際には、使用者は立ったまま便座１４を開くだけでよく、従来のように便器の前で屈むような姿勢をとる必要はない。従って、本実施形態に係る洋風便器１０によれば、便器本体に対する便座装置の昇降を容易に行うことが可能となり、その結果、便器清掃の作業性を向上することができる。
【００２７】
次に、図面を参照して昇降機構の第１実施例を説明する。図２（ａ）および（ｂ）は、第１実施例に係る昇降機構を説明するための要部概略側面図である。図３（ａ）および（ｂ）は、第１実施例に係る昇降機構を説明するための要部概略斜視図である。図２（ａ）および図３（ａ）は便座１４が閉じられた状態を示し、図２（ｂ）および図３（ｂ）は便座１４が開かれた状態を示す。
【００２８】
第１実施例に係る昇降機構２０は、便座アーム２１と、フレーム２２と、連結プレート２３と、ガイド機構２４と、アシストスプリング２５とを備える。
【００２９】
連結プレート２３は、便座１４と便座装置１６とを連結している。便座１４は、連結プレート２３に設けられた開閉軸２６周りに回転可能に支持されている。便座アーム２１は、便座１４の開閉軸２６から垂直方向に延設されている。便座アーム２１の便座側端部は、アーム固定ブッシュ２７により便座１４の後方端部に固定されている。フレーム２２は、便器本体１２の上面に立設されている。このフレーム２２には、アーム回転軸２８が設けられている。便座アーム２１のフレーム側端部は、アーム回転軸２８に固定されている。便座アーム２１は、アーム回転軸２８周りに回転可能である。
【００３０】
第１実施例に係る昇降機構２０では、便座１４の開閉に応じて便座アーム２１がアーム回転軸２８周りに回転することで、便座装置１６が連結プレート２３を介して便器本体１２に対して昇降される。すなわち、便座１４が使用者により開かれると、便座アーム２１も開閉軸２６周りに回転する。すると便座アーム２１は、フレーム２２に固定されたアーム回転軸２８を支点として回転し、開閉軸２６が上方に持ち上げられる。開閉軸２６は連結プレート２３を介して便座装置１６に連結されているので、便座装置１６が便器本体１２に対して上昇する。便座装置１６が便器本体１２に対して下降する場合はこの逆の動作が行われる。
【００３１】
図３（ａ）および（ｂ）に示すように、ガイド機構２４は、昇降軸２９と、昇降ガイド３０とを備える。昇降軸２９は、便器本体１２の上面に対し垂直方向を向くようにフレーム２２に固定されている。昇降ガイド３０は、便座装置１６に固定されており、昇降軸２９に沿って上下に移動可能に構成されている。このようなガイド機構２４を設けることにより、便器本体１２に対して略垂直方向に昇降するよう便座装置１６を案内することができる。
【００３２】
図３（ａ）および（ｂ）に示すように、アシストスプリング２５の上端部２５ａはフレーム２２に設けられたスプリング支持ピン２２ａに取り付けられている。一方、アシストスプリング２５の下端部２５ｂは、便座装置１６に設けられたのスプリング支持部１６ａに取り付けられている。アシストスプリング２５は、図３（ａ）に示すように便座１４が閉じている状態において、便器本体１２の上面に対し垂直方向を向くようにして、スプリング支持ピン２２ａとスプリング支持部１６ａとの間に張架されている。使用者により便座１４が開かれるとき、アシストスプリング２５の弾性力により便座装置１６の上昇が補助される。アシストスプリング２５を設けることにより、使用者はより少ない力で便座装置１６を便器本体１２に対して上昇させることができる。なお、任意の弾性部材（例えばゴムなど）をアシストスプリング２５に代えてまたは加えて用いることができる。
【００３３】
図４（ａ）および（ｂ）は、第２実施例に係る昇降機構を説明するための要部概略側面図である。図４（ａ）は便座１４が閉じられた状態を示し、図４（ｂ）は便座１４が開かれた状態を示す。
【００３４】
第２実施例に係る昇降機構４０は、便座側ギア４１と、便座装置側ギア４２と、連結ベルト４３と、ラックギア４４と、フレーム２２とを備える。
【００３５】
便座側ギア４１は、便座１４の開閉に応じて開閉軸２６周りに回転可能に設けられている。便座装置側ギア４２は、便座装置１６に設けられた回転軸４６周りに回転可能に設けられている。連結ベルト４３は、便座側ギア４１と便座装置側ギア４２との間に張架されており、便座側ギア４１の回転を便座装置側ギア４２に伝える回転伝達部材として機能する。ラックギア４４は、便座装置側ギア４２の回転運動を直線運動に変換するものであり、便器本体１２の上面に立設されたフレーム２２により支持されている。
【００３６】
第２実施例に係る昇降機構４０では、便座１４の開閉に応じて便座側ギア４１が開閉軸２６周りに回転することで、連結ベルト４３を介して便座装置側ギア４２が回転する。便座装置側ギア４２の回転運動がラックギア４４により直線運動に変換され、便座装置１６が便器本体１２に対して上昇する。便座装置１６が便器本体１２に対して下降する場合はこの逆の動作が行われる。
【００３７】
図５（ａ）および（ｂ）は、第３実施例に係る昇降機構を説明するための要部概略側面図である。図５（ａ）は便座１４が閉じられた状態を示し、図５（ｂ）は便座１４が開かれた状態を示す。
【００３８】
第３実施例に係る昇降機構５０は、便座側ギア４１と、便座装置側ギア４２と、第１中間ギア５１と、第２中間ギア５２と、ラックギア４４と、フレーム２２と、外部レバー５３とを備える。
【００３９】
便座側ギア４１は、便座１４の開閉に応じて開閉軸２６周りに回転可能に設けられている。便座装置側ギア４２は、便座装置１６に設けられた回転軸４６周りに回転可能に設けられている。第１中間ギア５１および第２中間ギア５２は、便座側ギア４１と便座装置側ギア４２との間に設けられており、便座側ギア４１の回転を便座装置側ギア４２に伝える回転伝達部材として機能する。ラックギア４４は、便座装置側ギア４２の回転運動を直線運動に変換するものであり、便器本体１２の上面に立設されたフレーム２２により支持されている。
【００４０】
第３実施例に係る昇降機構５０では、便座１４の開閉に応じて便座側ギア４１が開閉軸２６周りに回転すると、該回転が第１中間ギア５１および第２中間ギア５２を介して便座装置側ギア４２に伝達される。便座装置側ギア４２の回転運動がラックギア４４により直線運動に変換され、便座装置１６が便器本体１２に対して上昇する。便座装置１６が便器本体１２に対して下降する場合はこの逆の動作が行われる。
【００４１】
本第３実施例では、便座１４の開閉に連動して便座装置１６が昇降する昇降モードと、便座１４の開閉にかかわらず便座装置１６が上下しない非昇降モードとを切り替えることができる。図６（ａ）および（ｂ）は、非昇降モードを説明するための図である。図６（ａ）は便座１４が閉じられた状態を示し、図６（ｂ）は便座１４が開かれた状態を示す。昇降モードと非昇降モードの切替は、外部レバー５３を用いて行う。外部レバー５３は、第２中間ギア５２の回転軸５４に連結されている。外部レバー５３を上下に移動することで、第２中間ギア５２は、下降した第１の位置と、上昇した第２の位置との間で移動可能である。第１の位置では、第２中間ギア５２は（第１中間ギア５１を介して）便座側ギア４１と噛み合い、且つ便座装置側ギア４２と噛み合う（図６（ａ）および（ｂ）参照）。従って便座側ギア４１の回転が便座装置側ギア４２に伝達され、便座装置１６を昇降することができる。一方、第２の位置では、第２中間ギア５２は第１中間ギア５１および便座装置側ギア４２と噛み合わない（図６（ａ）および（ｂ）参照）。従って便座側ギア４１の回転は便座装置側ギア４２に伝達されず、便座装置１６は昇降しない。このように第３３実施例に係る昇降機構５０によれば、使用者の必要に応じて、便座装置１６の昇降／非昇降を切り替えることができ、操作性の向上を図ることができる。
【００４２】
図７（ａ）および（ｂ）は、第４実施例に係る昇降機構を説明するための要部概略側面図である。図７（ａ）は便座１４が閉じられた状態を示し、図７（ｂ）は便座１４が開かれた状態を示す。
【００４３】
第４実施例に係る昇降機構７０は、スイッチ押圧部材７１と、スイッチ７２と、電動昇降装置７３とを備える。
【００４４】
電動昇降装置７３は、図示しないモータ、モータの回転運動を直線運動に変換する機構等を備え、便座装置１６を便器本体１２に対して昇降させる。便座装置１６を昇降させる電動昇降装置の構造は公知であるので、ここでは詳細な説明は省略する。スイッチ押圧部材７１およびスイッチ７２は、電動昇降装置７３の動作を制御する制御部を構成している。スイッチ７２は、電動昇降装置７３の上昇／下降を切り替える機能を有する。スイッチ押圧部材７１は、便座１４の開閉に応じて開閉軸２６周りに回転可能に設けられている。使用者によって便座１４が開けられると、開閉軸２６周りにスイッチ押圧部材７１が回転してスイッチ７２が押圧され、電動昇降装置７３により便座装置１６が上昇する。一方、使用者によって便座１４が閉じられると、開閉軸２６周りにスイッチ押圧部材７１が逆方向に回転してスイッチ７２から離れ、電動昇降装置７３により便座装置１６が下降する。
【００４５】
従来より知られている電動昇降装置を用いた洋風便器は、洋風便器の外部に設けられたスイッチを用いて電動昇降装置を制御するものが殆どである。この場合、外部のスイッチを探す手間がかかる。一方、本第４実施例に係る昇降機構７０によれば、便座１４を開閉するだけで電動昇降装置７３の動作を制御できるので、操作性の向上を図ることができる。
【００４６】
図８（ａ）および（ｂ）は、第５実施例に係る昇降機構を説明するための要部概略側面図である。図８（ａ）は便座１４が閉じられた状態を示し、図８（ｂ）は便座１４が開かれた状態を示す。
【００４７】
第５実施例に係る昇降機構８０は、フレーム２２と、バネ８１と、ロック機構８２とを備える。
【００４８】
フレーム２２は、便器本体１２に固定されている。バネ８１は、便座装置１６とフレーム２２との間に設けられている。図８（ａ）に示すように便座装置１６が下降した状態のとき、バネ８１は圧縮されている。ロック機構８２は、便座１４が閉じられた状態のときにバネ８１の圧縮状態を維持するよう便座装置１６をフレーム２２にロックするとともに、便座１４が開かれたときにバネ８１の圧縮を解放するよう便座装置１６のフレーム２２に対するロックを解除するよう構成される。ロック機構８２は、便座装置１６に固定されたロック部８４と、便座１４の開閉に応じて開閉軸２６周りに回転可能に設けられたロック解除部材と、フレーム２２に固定されたロックピン８５とを備える。
【００４９】
図８（ａ）に示すように、便座１４が閉じられて便座装置１６が下降しているとき、ロック部８４はロックピン８５に係止されている。これにより、バネ８１の圧縮状態が維持される。図８（ｂ）に示すように、便座１４が使用者により開けられると、ロック解除部材８３がロック部８４のロックピン８５への係止を解除する。これにより、バネ８１の圧縮が解放され、バネ８１の弾性力により便座装置１６が上昇する。なお、任意の弾性部材（例えばゴムなど）をバネ８１に代えてまたは加えて用いることができる。本第５実施例に係る昇降機構８０は、図７で説明した昇降機構７０と比較してコスト面で有利である。
【００５０】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００５１】
１０  洋風便器、  １２  便器本体、  １４  便座、  １６  便座装置、  １８  シャワートイレ、  ２０  昇降機構、  ２１  便座アーム、  ２２  フレーム、  ２３  連結プレート、  ２４  ガイド機構、  ２５  アシストスプリング、  ２６  開閉軸、  ２８  アーム回転軸、  ２９  昇降軸、  ３０  昇降ガイド、  ４０  昇降機構、  ４１  便座側ギア、  ４２  便座装置側ギア、  ４３  連結ベルト、  ４４  ラックギア、  ４５  フレーム、  ５０  昇降機構、  ５１  第１中間ギア、  ５２  第２中間ギア、  ５３  外部レバー、  ７０  昇降機構、  ７１  スイッチ押圧部材、  ７２  スイッチ、  ７３  電動昇降装置、  ８１  バネ、  ８２  ロック機構、  ８３  ロック解除部材、  ８４  ロック部、  ８５  ロックピン。
【図１】
2015134109.tif 000003
【図２】
2015134109.tif 000004
【図３】
2015134109.tif 000005
【図４】
2015134109.tif 000006
【図５】
2015134109.tif 000007
【図６】
2015134109.tif 000008
【図７】
2015134109.tif 000009
【図８】
2015134109.tif 000010